(57)【要約】【課題】ヒンジ機構部が枠体に対して占有するスペースを小さくでき，開閉部材を開ける際に，その端部が枠体の左右方向における外側方向に突出することを防止できる遊技機を提供すること。【解決手段】パチンコ遊技機１は，枠体２と，上下一対のヒンジ機構部４を介して枠体２に対して開閉可能に配設した開閉部材３とを有する。ヒンジ機構部４は，案内溝４１１を有する枠体支持部材４１，スライド支点４２１を有する開閉支持部材４２及びこれらを第１回動支点４４及び第２回動支点４５の係合により連結するリンク部材４３とよりなる。開閉部材３を枠体２に対して開ける際には，リンク部材４３が第１回動支点４４を中心にして開閉部材３の開く方向と同じ方向に回転すると共に，スライド支点４２１が案内溝４１１を枠体２の左右方向における内側に向けてスライドする。【選択図】　図１
2004065465.tif 000002
【特許請求の範囲】
【請求項１】
枠体と，上下一対のヒンジ機構部を介して上記枠体に対して開閉可能に配設した開閉部材とを有する遊技機において，
上記ヒンジ機構部は，上記枠体に配設した枠体支持部材と，上記開閉部材に配設した開閉支持部材と，該開閉支持部材と上記枠体支持部材との間を連結するリンク部材とよりなり，
上記開閉支持部材は，スライドする開閉支点となるスライド支点を有し，上記枠体支持部材は，上記スライド支点のスライドを上記枠体の左右方向に案内する案内溝を有し，上記リンク部材は，該リンク部材の一端と上記枠体支持部材とが第１回動支点により回動可能に係合してあると共に，上記リンク部材の他端と上記開閉支持部材とが第２回動支点により回動可能に係合してあり，
上記第１回動支点は，上記開閉部材を上記枠体に対して閉じた状態において，上記第２回動支点よりも上記枠体の左右方向における外側位置に設けてあり，
上記開閉部材を上記枠体に対して開ける際には，上記リンク部材が上記第１回動支点を中心にして上記開閉部材の開く方向と同じ方向に回転すると共に，上記スライド支点が上記案内溝を上記枠体の左右方向における内側に向けてスライドするよう構成してあることを特徴とする遊技機。
【請求項２】
請求項１において，上記リンク部材には，上記開閉部材を上記枠体に対して閉じた状態において，当該開閉部材における上記開閉支持部材のスライド支点に当接して，当該開閉部材が上記枠体の左右方向にぐらつくことを防止するストッパーが設けてあることを特徴とする遊技機。
【請求項３】
枠体と，上下一対のヒンジ機構部を介して上記枠体に対して開閉可能に配設した開閉部材とを有する遊技機において，
上記ヒンジ機構部は，上記枠体に配設した枠体支持部材と，上記開閉部材に配設した開閉支持部材と，該開閉支持部材と上記枠体支持部材との間を連結するリンク部材とよりなり，
上記開閉支持部材は，スライドする開閉支点となるスライド支点を有し，上記枠体支持部材は，上記スライド支点のスライドを上記枠体の左右方向に案内する案内溝を有し，上記リンク部材は，該リンク部材の一端と上記枠体支持部材とが第１回動支点により回動可能に係合してあると共に，上記リンク部材の他端と上記開閉支持部材とが第２回動支点により回動可能に係合してあり，
上記開閉部材を上記枠体に対して開ける際には，上記リンク部材が上記第１回動支点を中心にして回転すると共に，上記スライド支点が上記案内溝を上記枠体の左右方向における内側に向けてスライドするよう構成してあり，
かつ，上記リンク部材には，上記開閉部材を上記枠体に対して閉じた状態において，当該開閉部材における上記開閉支持部材のスライド支点に当接して，当該開閉部材が上記枠体の左右方向にぐらつくことを防止するストッパーが設けてあることを特徴とする遊技機。
【請求項４】
請求項１〜３のいずれか一項において，上記第１回動支点は，上記案内溝よりも前面側に設けてあることを特徴とする遊技機。
【請求項５】
請求項１〜４のいずれか一項において，上記案内溝は，上記枠体の左右方向における内側にいくにつれて前面側に向けて湾曲する円弧状溝部を有していることを特徴とする遊技機。
【請求項６】
請求項１〜５のいずれか一項において，上記枠体は，遊技機における本体枠であり，上記開閉部材は，上記本体枠に対して開閉する開閉扉であることを特徴とする遊技機。
【請求項７】
請求項２〜６のいずれか一項において，上記リンク部材は，上記開閉支持部材と上記枠体支持部材との間の隙間に配設してあることを特徴とする遊技機。
【請求項８】
請求項７において，少なくとも上記枠体の下側に位置する一方のヒンジ機構部は，上記枠体支持部材が下，上記開閉支持部材が上，及び上記リンク部材が中央という重なり順序で配設されており，上記スライド支点は，その基端部に上記リンク部材の厚みと略同一の厚みを有すると共に上記枠体支持部材に当接するボス部を有していることを特徴とする遊技機。
【発明の詳細な説明】
【０００１】
【技術分野】
本発明は，枠体と，該枠体に対して上下一対に設けたヒンジ機構部を介して開閉可能に配設した開閉部材とを有する弾球遊技機やスロットマシン等の遊技機に関する。
【０００２】
【従来技術】
例えば，パチンコ遊技機において，枠体に対する開閉部材の開閉は，一般に，これらを回動可能に係合する回転軸を中心にして上記開閉部材を回動させて行っている。しかしながら，このような単純なヒンジ機構では，上記開閉部材を開けた際に，この開閉部材における上記回転軸側に位置する端部が，上記枠体の左右方向における外側に向けて突出してしまう。そのため，例えば，上記パチンコ遊技機に隣接して設置されるＣＲユニット（カードを投入して遊技球を配給する装置）や台間球貸機（現金を投入して遊技球を配給する装置）等の島設備装置に上記開閉部材の端部が接触（干渉）してしまい，この開閉部材を十分に開放させることができないという問題点があった。
【０００３】
【解決しようとする課題】
これを改善するために，例えば，特許第３０７５４９２号公報に示されるように，複数のリンク部材を使用して開閉を行うヒンジ機構がある。
しかしながら，上記複数のリンク部材を使用したヒンジ機構では，この複数のリンク部材を上記枠体と上記開閉部材との間で連結させる必要がある。そのため，このヒンジ機構は，上記枠体において多大なスペースを占有してしまう。
【０００４】
本発明は，かかる従来の問題点に鑑みてなされたもので，ヒンジ機構部が枠体に対して占有するスペースを小さくできると共に，開閉部材を開ける際に，その端部が枠体の左右方向における外側方向に突出することを防止できる遊技機を提供しようとするものである。
【０００５】
【課題の解決手段】
第１の発明は，枠体と，上下一対のヒンジ機構部を介して上記枠体に対して開閉可能に配設した開閉部材とを有する遊技機において，
上記ヒンジ機構部は，上記枠体に配設した枠体支持部材と，上記開閉部材に配設した開閉支持部材と，該開閉支持部材と上記枠体支持部材との間を連結するリンク部材とよりなり，
上記開閉支持部材は，スライドする開閉支点となるスライド支点を有し，上記枠体支持部材は，上記スライド支点のスライドを上記枠体の左右方向に案内する案内溝を有し，上記リンク部材は，該リンク部材の一端と上記枠体支持部材とが第１回動支点により回動可能に係合してあると共に，上記リンク部材の他端と上記開閉支持部材とが第２回動支点により回動可能に係合してあり，
上記第１回動支点は，上記開閉部材を上記枠体に対して閉じた状態において，上記第２回動支点よりも上記枠体の左右方向における外側位置に設けてあり，
上記開閉部材を上記枠体に対して開ける際には，上記リンク部材が上記第１回動支点を中心にして上記開閉部材の開く方向と同じ方向に回転すると共に，上記スライド支点が上記案内溝を上記枠体の左右方向における内側に向けてスライドするよう構成してあることを特徴とする遊技機にある（請求項１）。
【０００６】
本発明のヒンジ機構部は，上記スライド支点を有する上記開閉支持部材，上記案内溝を有する上記枠体支持部材及び上記リンク部材よりなる。そして，上記枠体に配設する枠体支持部材には，上記案内溝と，上記リンク部材の一端を連結する上記第１回動支点とが形成されているのみである。そのため，上記枠体支持部材を小さくすることができ，上記ヒンジ機構部が上記枠体に対して占有するスペースを小さくすることができる。
【０００７】
また，上記リンク部材の一端と上記枠体支持部材とを回動可能に係合する第１回動支点は，上記開閉部材を上記枠体に対して閉じた状態において，上記リンク部材の他端と上記開閉支持部材とを回動可能に係合する第２回動支点よりも上記枠体の左右方向における外側位置に設けてある。
これにより，上記第１回動支点は，上記枠体支持部材において上記案内溝が左右方向に占める長さの範囲内，あるいはその近傍に設けることができる。そのため，上記枠体支持部材を左右方向に小さくすることができ，上記ヒンジ機構部が上記枠体に対して占有するスペースを一層小さくすることができる。
【０００８】
また，上記開閉部材を上記枠体に対して開ける際には，上記リンク部材は，上記第１回動支点を中心にして上記開閉部材の開く方向と同じ方向に回転する。また，上記開閉部材を上記枠体に対して閉じる際にも，上記リンク部材は，上記第１回動支点を中心にして上記開閉部材の閉じる方向と同じ方向に回転する。これにより，上記開閉部材を開閉させる際に，上記リンク部材を連結する第１回動支点及び第２回動支点に働く摩擦等による回動抵抗の発生を抑制することができ，上記開閉部材は，一層滑らかに開閉することができる。
【０００９】
そして，上記開閉部材は，上記スライド支点が上記案内溝を上記枠体の左右方向における内側に向けてスライドする。これにより，上記開閉部材において上記スライド支点を設けた側の端部が，上記枠体の左右方向における外側方向に突出することを防止することができる。そのため，例えば，上記遊技機に隣接して設置されるＣＲユニットや台間球貸機等の島設備装置に上記開閉部材の端部が接触（干渉）することなく，この開閉部材を十分に開放させることができる。
【００１０】
なお，上記案内溝は，上記スライド支点を上記枠体の左右方向に案内するだけでなく，これと同時に前後方向に案内しても勿論よい。例えば，上記案内溝は，上記枠体の左右方向における内側にいくにつれて前面側に向けて傾斜する傾斜溝とすることができる。
【００１１】
第２の発明は，枠体と，上下一対のヒンジ機構部を介して上記枠体に対して開閉可能に配設した開閉部材とを有する遊技機において，
上記ヒンジ機構部は，上記枠体に配設した枠体支持部材と，上記開閉部材に配設した開閉支持部材と，該開閉支持部材と上記枠体支持部材との間を連結するリンク部材とよりなり，
上記開閉支持部材は，スライドする開閉支点となるスライド支点を有し，上記枠体支持部材は，上記スライド支点のスライドを上記枠体の左右方向に案内する案内溝を有し，上記リンク部材は，該リンク部材の一端と上記枠体支持部材とが第１回動支点により回動可能に係合してあると共に，上記リンク部材の他端と上記開閉支持部材とが第２回動支点により回動可能に係合してあり，
上記開閉部材を上記枠体に対して開ける際には，上記リンク部材が上記第１回動支点を中心にして回転すると共に，上記スライド支点が上記案内溝を上記枠体の左右方向における内側に向けてスライドするよう構成してあり，
かつ，上記リンク部材には，上記開閉部材を上記枠体に対して閉じた状態において，当該開閉部材における上記開閉支持部材のスライド支点に当接して，当該開閉部材が上記枠体の左右方向にぐらつくことを防止するストッパーが設けてあることを特徴とする遊技機にある（請求項３）。
【００１２】
本発明のヒンジ機構部は，上記第１の発明と同様に，上記スライド支点を有する上記開閉支持部材，上記案内溝を有する上記枠体支持部材及び上記リンク部材よりなる。そのため，上記第１の発明と同様に，上記枠体支持部材を小さくすることができ，上記ヒンジ機構部が上記枠体に対して占有するスペースを小さくすることができる。
【００１３】
また，本発明においても，上記開閉部材は，上記スライド支点が上記案内溝を上記枠体の左右方向における内側に向けてスライドする。これにより，上記開閉部材において上記スライド支点を設けた側の端部が，上記枠体の左右方向における外側方向に突出することを防止することができる。そのため，本発明においても，例えば，上記遊技機に隣接して設置されるＣＲユニットや台間球貸機等の島設備装置に上記開閉部材の端部が接触（干渉）することなく，この開閉部材を十分に開放させることができる。
【００１４】
ところで，上記第１回動支点，第２回動支点又は上記スライド支点と上記案内溝との間には，これらの摺動を可能にするために若干のクリアランスが形成されている。そして，上記案内溝を利用したヒンジ機構部の構造では，上記開閉部材を閉じた際に，上記クリアランスに起因して，上記第１回動支点を中心にした上記リンク部材の回動を伴うことなく，上記案内溝に対する上記スライド支点のスライドのみが起こってしまうおそれがある。そして，この問題が生じたときには，上記開閉部材が上記枠体の左右方向にぐらついてしまうおそれがある。
【００１５】
そこで，本発明では，このようなクリアランスに起因する上記開閉部材のぐらつきを防止するために，上記リンク部材は，上記ストッパーを有している。すなわち，このストッパーは，上記開閉部材を閉じた状態において，上記スライド支点に当接して，このスライド支点が上記リンク部材の回動を伴うことなく，上記案内溝に対してスライドしてしまうことを防止することができる。そのため，本発明によれば，上記開閉部材を上記枠体に対して閉じた状態を安定して維持することができる。
【００１６】
【発明の実施の形態】
上述した本発明における好ましい実施の形態につき説明する。
上記第１の発明において，上記リンク部材には，上記開閉部材を上記枠体に対して閉じた状態において，当該開閉部材における上記開閉支持部材のスライド支点に当接して，当該開閉部材が上記枠体の左右方向にぐらつくことを防止するストッパーが設けてあることが好ましい（請求項２）。
この場合には，上記第１の発明においても，上記ストッパーが，上記開閉部材を閉じた状態において，上記スライド支点に当接して，このスライド支点が上記リンク部材の回動を伴うことなく，上記案内溝に対してスライドしてしまうことを防止することができる。そのため，上記開閉部材を上記枠体に対して閉じた状態を安定して維持することができる。
【００１７】
また，上記第１及び第２の発明において，上記第１回動支点は，上記案内溝よりも前面側に設けてあることが好ましい（請求項４）。
この場合には，上記リンク部材を短くすることができると共に，上記ヒンジ機構部が上記枠体に対して占有するスペースを一層小さくすることができる。
【００１８】
また，上記案内溝は，上記枠体の左右方向における内側にいくにつれて前面側に向けて湾曲する円弧状溝部を有していることが好ましい（請求項５）。
この場合には，上記開閉部材を開ける際に上記リンク部材を常に同じ方向に回転させながら開けることができる。そのため，上記開閉部材を一層滑らかに開けることができる。また，上記開閉部材を閉じる際にも同様に，上記リンク部材を常に同じ方向に回転させながら閉じることができ，上記開閉部材を一層滑らかに閉じることができる。
【００１９】
また，上記枠体は，遊技機における本体枠であり，上記開閉部材は，上記本体枠に対して開閉する開閉扉であることが好ましい（請求項６）。
この場合には，上記ヒンジ機構部による優れた作用効果を上記本体枠と，これに対して開閉する開閉扉とに実現することができる。
【００２０】
また，上記ストッパーを有するリンク部材は，上記開閉支持部材と上記枠体支持部材との間の隙間に配設してあることが好ましい（請求項７）。
この場合には，上記開閉支持部材と上記枠体支持部材との間の隙間に位置する上記スライド支点の一部に，上記リンク部材におけるストッパーを当接させることができる。そのため，上記ストッパーを簡単に上記リンク部材に形成することができる。
【００２１】
上記ストッパーを有するリンク部材が上記開閉支持部材と上記枠体支持部材との間の隙間に配設してある場合には，少なくとも上記枠体の下側に位置する一方のヒンジ機構部は，上記枠体支持部材が下，上記開閉支持部材が上，及び上記リンク部材が中央という重なり順序で配設されており，上記スライド支点は，その基端部に上記リンク部材の厚みと略同一の厚みを有すると共に上記枠体支持部材に当接するボス部を有していることが好ましい（請求項８）。
【００２２】
この場合には，少なくとも上記一方のヒンジ機構部における開閉支持部材と枠体支持部材とは，上記リンク部材を介して当接するだけでなく，上記ボス部により当接することもできる。そのため，上記開閉部材を上記枠体に対して安定して支持することができ，上記開閉部材を上記枠体に対して安定して開閉させることもできる。
【００２３】
【実施例】
以下に，図面を用いて本発明の遊技機にかかる実施例につき説明する。
（実施例１）
図１に示すごとく，本例における遊技機はパチンコ遊技機１である。このパチンコ遊技機１は，枠体２（図２参照）と，上下一対のヒンジ機構部４を介して上記枠体２に対して開閉可能に配設した開閉部材３とを有する。上記ヒンジ機構部４は，上記枠体２に配設した枠体支持部材４１と，上記開閉部材３に配設した開閉支持部材４２と，該開閉支持部材４２と上記枠体支持部材４１との間を連結するリンク部材４３とよりなる。
【００２４】
図１，図２に示すごとく，上記開閉支持部材４２は，スライドする開閉支点となるスライド支点４２１を有しており，上記枠体支持部材４１は，上記スライド支点４２１のスライドを上記枠体２の左右方向に案内する案内溝４１１を有している。また，上記リンク部材４３は，このリンク部材４３の一端と上記枠体支持部材４１とが第１回動支点４４により回動可能に係合してあると共に，上記リンク部材４３の他端と上記開閉支持部材４２とが第２回動支点４５により回動可能に係合してある。
また，上記第１回動支点４４は，上記開閉部材３を上記枠体２に対して閉じた状態において，上記第２回動支点４５よりも上記枠体２の左右方向における外側位置に設けてある。
【００２５】
そして，図７〜図９に示すごとく，上記開閉部材３を上記枠体２に対して開ける際には，上記リンク部材４３が上記第１回動支点４４を中心にして上記開閉部材３の開く方向と同じ方向に回転すると共に，上記スライド支点４２１が上記案内溝４１１を上記枠体２の左右方向における内側に向けてスライドする。これにより，上記開閉部材３は，上記枠体２の左右方向における内側方向に移動させながら開けることができる。
なお，本例において，内側又は内側方向とは，枠体２の中心側又は枠体２の中心に向かう方向をいう。一方，外側又は外側方向とは，枠体２の側方側又は側方に向かう方向をいう。
【００２６】
以下に，これを詳説する。
図１に示すごとく，上記ヒンジ機構部４は，上記枠体２の左右方向における一方の端部に，上下一対にして設けてある。本例では，上記パチンコ遊技機１の前面から見て左側に上記ヒンジ機構部４を上下一対に設け，図７〜図９に示すごとく，時計回りに開く開閉部材３を構成した。
【００２７】
図４に示すごとく，本例においては，上記枠体２は，パチンコ遊技機１における本体枠であり，上記開閉部材３は，上記本体枠に対して開閉する開閉扉である。また，上記枠体２には，上記パチンコ遊技機１における遊技を行う遊技盤２１が設けてあり，上記開閉扉は，２重ガラス構造を用いて構成してある。
【００２８】
図１に示すごとく，上記スライド支点４２１は，上記案内溝４１１をスライドするスライド軸により形成してあり，上記第１回動支点４４及び第２回動支点４５は，それぞれ回動軸４４１，４５１とこれを挿入配置する回動穴４４２，４５２とにより形成してある。
【００２９】
図１，図３に示すごとく，上記リンク部材４３には，上記開閉部材３を上記枠体２に対して閉じた状態において，当該開閉部材３における上記開閉支持部材４２のスライド支点４２１に当接して，当該開閉部材３が上記枠体２の左右方向にぐらつくことを防止するストッパー４３１が設けてある。
【００３０】
また，図３，図６に示すごとく，上記上下一対のヒンジ機構部４において，本例のスライド支点４２１は，その基端部に上記リンク部材４３の厚みと略同一の厚みを有すると共に上記枠体支持部材４１に当接するボス部４２２を有している。本例のボス部４２２は，上記スライド支点４２１の軸径を拡大するようにして設けてある。そして，本例のストッパー４３１は，上記ボス部４２２に当接する。
なお，上記スライド支点４２１の基端部とは，このスライド支点４２１を上記開閉支持部材４２に設けた根元側の端部をいう。
【００３１】
また，図１に示すごとく，上記枠体２の上側に位置する上側のヒンジ機構部４は，上記枠体支持部材４１が上，上記開閉支持部材４２が下，及び上記リンク部材４３が中央という重なり順序で配設されており，上記下側のヒンジ機構部４は，上記開閉支持部材４２が上，上記枠体支持部材４１が下，及び上記リンク部材４３が中央という重なり順序で配設されている。
【００３２】
そして，上記スライド支点４２１が上記ボス部４２２を有していることにより，少なくとも，上記枠体２の下側に位置する下側のヒンジ機構部４においては，上記開閉支持部材４２と枠体支持部材４１とは，上記リンク部材４３を介して当接するだけでなく，上記ボス部４２２により当接することもできる。そのため，上記開閉部材３を上記枠体２に対して安定して支持することができ，上記開閉部材３を上記枠体２に対して安定して開閉させることもできる。
【００３３】
図３に示すごとく，本例のストッパー４３１は，平板状のリンク部材４３の一部より，その幅方向に突出させることにより形成してある。なお，上記幅方向とは，上記リンク部材４３において，上記第１回動支点４４と上記第２回動支点４５とを結ぶ長手方向に対して直交する直交方向をいう。そして，ストッパー４３１には，上記スライド支点４２１のボス部４２２に当接する当接面４３２が上記直交方向に形成してある。
【００３４】
そして，上記ストッパー４３１は，上記開閉部材３を閉じた状態において，上記スライド支点４２１のボス部４２２に当接して，このスライド支点４２１が上記リンク部材４３の回動を伴うことなく，上記案内溝４１１に対してスライドしてしまうことを防止することができる。これにより，本例のパチンコ遊技機１においては，上記開閉部材３を上記枠体２に対して閉じた状態を安定して維持することができる。
【００３５】
また，図５に示すごとく，上記上下一対のヒンジ機構部４において，上記リンク部材４３は，上記開閉支持部材４２と上記枠体支持部材４１との間の隙間に配設してある。これにより，上記開閉支持部材４２と枠体支持部材４１との間の隙間に位置する上記スライド支点４２１のボス部４２２に，上記リンク部材４３におけるストッパー４３１を当接させることができる。そのため，上記ストッパー４３１を簡単に上記リンク部材４３に形成することができる。
図３に示すごとく，上記リンク部材４３は，上記開閉部材３を閉じた状態において，上記開閉部材３とほぼ並行に位置するよう設けてあり，上記第１回動支点４４と上記第２回動支点４５とは上記枠体２の前後方向においてほぼ同じ位置に配置されている。
【００３６】
また，図２に示すごとく，上記リンク部材４３を短く形成し，コンパクトな上記枠体支持部材４１を形成するために，上記第１回動支点４４は，上記案内溝４１１よりも前面側に設けてある。
また，上記第１回動支点４４は，上記枠体支持部材４１において，上記左右方向の外側の部分において形成してあり，本例では，上記案内溝４１１の外側方向における端部（外側端部）４１４の前方に形成してある。
【００３７】
そして，図３に示すごとく，上記開閉部材３を上記枠体２に対して閉じた状態においては，上記スライド支点４２１は上記案内溝４１１の外側端部４１４に位置している。そして，この状態において，上記リンク部材４３のストッパー４３１は，上記スライド支点４２１のボス部４２２に当接して，このスライド支点４２１が上記案内溝４１１の外側端部４１４から内側方向にずれないようにしている。
【００３８】
図２に示すごとく，本例の案内溝４１１は，上記枠体２の前面側に向けて傾斜する前面傾斜溝部４１２と，この前面傾斜溝部４１２の端部より上記枠体２の左右方向における内側にいくにつれて前面側に向けて湾曲する円弧状溝部４１３とにより形成してある。
【００３９】
本例では，図７，図８に示すごとく，上記スライド支点４２１は，上記開閉部材３を上記枠体２に対して閉じた状態からこの枠体２に対して約９０°まで開けるときは，上記前面傾斜溝部４１２をスライドする。そして，このときには，上記開閉部材３は，上記リンク部材４３を時計回りに回転させながら時計回りに回転して開く。
なお，本例では，上記開閉部材３を上記枠体２に対して約９０°まで開けたときには，上記前面傾斜溝部４１２に対して，上記第２回動支点４５と上記スライド支点４２１とを結ぶ直線が直交する。
【００４０】
また，図９に示すごとく，上記スライド支点４２１は，上記開閉部材３を約９０°開けた状態からさらに広く開けるときには，上記円弧状溝部４１３をスライドする。そして，このときには，上記リンク部材４３の回転がほぼ停止すると共に，上記開閉部材３は，上記第２回動支点４５を中心に回転して開く。
【００４１】
上記のように，円弧状溝部４１３を形成することにより，上記開閉部材３は，９０°以上開けるときには，上記リンク部材４３の回転をほぼ停止させて，回転することができる。そのため，上記開閉部材３を開ける際に，上記リンク部材４３は上記時計回りに回転するだけである。また，上記開閉部材３を閉じる際にも同様に，上記リンク部材４３は上記反時計回りに回転するだけである。
これにより，上記開閉部材３を開閉させる際に，上記リンク部材４３を連結する第１回動支点４４及び第２回動支点４５に働く摩擦等による回動抵抗の発生を抑制することができ，上記開閉部材３は，一層滑らかに開閉することができる。
【００４２】
なお，上記円弧状溝部４１３の円弧の半径によっては，上記開閉部材３を９０°以上開ける際においても，上記リンク部材４３は当該開閉部材３が開く方向と常に同じ方向（時計回り）に回転する場合もある。また，この場合には，上記開閉部材３を閉じる際にも同様に，上記リンク部材４３は当該開閉部材３が閉じる方向と常に同じ方向（反時計回り）に回転する。
この場合でも，上記と同様に，上記回動抵抗の発生を抑制することができ，上記開閉部材３は，一層滑らかに開閉することができる。
【００４３】
図１に示したように，本例のヒンジ機構部４は，上記スライド支点４２１を有する上記開閉支持部材４２，上記案内溝４１１を有する上記枠体支持部材４１及び上記リンク部材４３よりなる。そして，上記枠体２に配設する枠体支持部材４１には，上記案内溝４１１と，上記リンク部材４３の一端を連結する上記第１回動支点４４とが形成されているのみである。そのため，上記枠体支持部材４１を小さくすることができ，上記ヒンジ機構部４が上記枠体２に対して占有するスペースを小さくすることができる。
【００４４】
また，図２，図３に示したように，上記開閉部材３を上記枠体２に対して閉じた状態において，上記第１回動支点４４は，上記第２回動支点４５よりも上記枠体２の左右方向における外側位置に設けてあり，かつ，上記案内溝４１１の外側端部４１４の前方に形成してある。
これにより，上記第１回動支点４４は，上記枠体支持部材４１において上記案内溝４１１が左右方向に占める長さの範囲内，あるいはその近傍に設けることができる。そのため，上記枠体支持部材４１を左右方向に小さくすることができ，上記ヒンジ機構部４が上記枠体２に対して占有するスペースを一層小さくすることができる。
【００４５】
そして，図７〜図９に示したように，上記開閉部材３は，上記スライド支点４２１が上記案内溝４１１を上記枠体２の左右方向における内側に向けてスライドする。これにより，上記開閉部材３において上記スライド支点４２１を設けた側の端部３１（上記左右方向の左側において前面側を含む周縁部３１）が，上記枠体２の左右方向における外側方向に突出することを防止することができる。
【００４６】
そのため，例えば，上記パチンコ遊技機１に隣接して設置されるＣＲユニットや台間球貸機等の島設備装置に上記開閉部材３の端部３１が接触（干渉）することなく，この開閉部材３を十分に開放させることができる。
なお，本例においては，上記開閉部材３の前面側には，ランプ飾り等の装飾部品（図示略）が設けてあり，このランプ飾り等の装飾部品が上記島設備装置に接触することを防止することができる。
【００４７】
（実施例２）
本例は，図１０に示すごとく，上記ヒンジ機構部４において，上記リンク部材４３を取り付ける位置を変更した例である。すなわち，図１１，図１２に示すごとく，本例においては，上記第１回動支点４４は，上記開閉部材３を上記枠体２に対して閉じた状態において，上記第２回動支点４５よりも上記枠体２の左右方向における内側位置に設けてある。また，本例の案内溝４１１は，上記枠体２の左右方向に対して略並行に形成してある。
【００４８】
図１２に示すごとく，本例のストッパー４３１も，平板状のリンク部材４３の一部より，その幅方向（この定義は上記実施例１と同じ。）に突出させることにより形成してある。具体的には，本例のストッパー４３１は，上記リンク部材４３を上記第１回動支点４４から上記第２回動支点４５に向かう方向に延設すると共に，この延設したリンク部材４３より，第１回動支点４４と第２回動支点４５とを結ぶ長手方向に対して直交する直交方向に突出させて形成してある。そして，ストッパー４３１には，スライド支点４２１のボス部４２２に当接する当接面４３２が形成してある。
【００４９】
そして，上記実施例１と同様に，上記ストッパー４３１は，上記開閉部材３を閉じた状態において，上記スライド支点４２１のボス部４２２に当接して，このスライド支点４２１が上記リンク部材４３の回動を伴うことなく，上記案内溝４１１に対してスライドしてしまうことを防止することができる。
【００５０】
そして，図１３〜図１５に示すごとく，上記開閉部材３を上記枠体２に対して開ける際には，上記リンク部材４３が上記第１回動支点４４を中心にして上記開閉部材３の開く方向と反対方向に回転すると共に，上記スライド支点４２１が上記案内溝４１１を上記枠体２の左右方向における内側に向けてスライドする。
その他の構成は上記実施例１と同様であり，上記実施例１と同様の作用効果を得ることができる。
【００５１】
なお，上記開閉部材３は，上記実施例１，２で説明した２重ガラス構造を有する開閉扉（いわゆるガラス枠）の他に，球皿が設けられた前面パネル等種々のものとすることができる。
【図面の簡単な説明】
【図１】実施例１における，各部品を分解した状態のパチンコ遊技機を示す斜視説明図。
【図２】実施例１における，開閉部材を枠体に対して閉じた状態のパチンコ遊技機を示す平面説明図。
【図３】実施例１における，リンク部材のストッパーが第１回動支点に当接している状態のパチンコ遊技機を示す平面説明図。
【図４】実施例１における，開閉部材の詳細構造を示す平面説明図。
【図５】実施例１における，枠体支持部材，開閉支持部材及びリンク部材の重なり構造を示す図で，図２のＡ−Ａ線矢視断面説明図。
【図６】実施例１における，枠体支持部材，開閉支持部材及びリンク部材の重なり構造を示す図で，図２のＢ−Ｂ線矢視断面説明図。
【図７】実施例１における，開閉部材を枠体に対して開けている状態のパチンコ遊技機を示す平面説明図。
【図８】実施例１における，開閉部材を枠体に対して約９０°開けた状態のパチンコ遊技機を示す平面説明図。
【図９】実施例１における，開閉部材を枠体に対して９０°以上開けた状態のパチンコ遊技機を示す平面説明図。
【図１０】実施例２における，各部品を分解した状態のパチンコ遊技機を示す斜視説明図。
【図１１】実施例２における，開閉部材を枠体に対して閉じた状態のパチンコ遊技機を示す平面説明図。
【図１２】実施例２における，リンク部材のストッパーが第１回動支点に当接している状態のパチンコ遊技機を示す平面説明図。
【図１３】実施例２における，開閉部材を枠体に対して開けている状態のパチンコ遊技機を示す平面説明図。
【図１４】実施例２における，開閉部材を枠体に対して約９０°開けた状態のパチンコ遊技機を示す平面説明図。
【図１５】実施例２における，開閉部材を枠体に対して９０°以上開けた状態のパチンコ遊技機を示す平面説明図。
【符号の説明】
１．．．パチンコ遊技機，
２．．．枠体，
３．．．開閉部材，
４．．．ヒンジ機構部，
４１．．．枠体支持部材，
４１１．．．案内溝，
４２．．．開閉支持部材，
４２１．．．スライド支点，
４２２．．．ボス部，
４３．．．リンク部材，
４３１．．．ストッパー，
４４．．．第１回動支点，
４５．．．第２回動支点，
【図１】
2004065465.tif 000003
【図２】
2004065465.tif 000004
【図３】
2004065465.tif 000005
【図４】
2004065465.tif 000006
【図５】
2004065465.tif 000007
【図６】
2004065465.tif 000008
【図７】
2004065465.tif 000009
【図８】
2004065465.tif 000010
【図９】
2004065465.tif 000011
【図１０】
2004065465.tif 000012
【図１１】
2004065465.tif 000013
【図１２】
2004065465.tif 000014
【図１３】
2004065465.tif 000015
【図１４】
2004065465.tif 000016
【図１５】
2004065465.tif 000017